(57)【特許請求の範囲】
【請求項１】
(ａ)水流入弁孔及び湯流入弁孔と混合水の流出弁孔とを備えた固定弁体と、(ｂ)該水流入弁孔及び／又は湯流入弁孔と該流出弁孔とを連通させる連通開口を備え、前記固定弁体上を摺動する可動弁体と、(ｃ)該可動弁体を移動操作するレバーハンドルと、を有し、該レバーハンドルの上下方向の回動操作により弁開閉を行って吐止水と吐水の流量調節を行い、左右方向の回動操作により、前記水流入弁孔に対して相対的に左側に位置している前記湯流入弁孔と該水流入弁孔の開度を互いに大小逆の関係で変化させて吐水の温度調節を行うシングルレバー混合水栓において、
前記水流入弁孔における前記可動弁体とは反対側の裏面側の入側開口と、前記湯流入弁孔における該裏面側の入側開口との間の、前記レバーハンドルの回動方向に沿った左右方向の中心に対して、該水流入弁孔における前記可動弁体側の表面側の出側開口と、該湯流入弁孔における該表面側の出側開口との間の前記左右方向の中心位置が左方向に離隔して位置するように、前記水流入弁孔における前記出側開口及び前記湯流入弁孔における前記出側開口のそれぞれが、対応する該水流入弁孔及び湯流入弁孔における各入側開口に対して左方向に位置をずらせて配置してあり、
前記レバーハンドルは、水栓本体の正面の中央位置から前記左方向の範囲で回動可能とし、更に該中央位置から左方向の回動範囲より狭い範囲で、該中央位置から右方向にも回動可能としてあることを特徴とするシングルレバー混合水栓。
【請求項２】
(ａ)水流入弁孔及び湯流入弁孔と混合水の流出弁孔とを備えた固定弁体と、(ｂ)該水流入弁孔及び／又は湯流入弁孔と該流出弁孔とを連通させる連通開口を備え、前記固定弁体上を摺動する可動弁体と、(ｃ)該可動弁体を移動操作するレバーハンドルと、を有し、該レバーハンドルの上下方向の回動操作により弁開閉を行って吐止水と吐水の流量調節を行い、左右方向の回動操作により、前記水流入弁孔に対して相対的に左側に位置している前記湯流入弁孔と該水流入弁孔の開度を互いに大小逆の関係で変化させて吐水の温度調節を行うシングルレバー混合水栓において、
前記水流入弁孔における前記可動弁体とは反対側の裏面側の入側開口と、前記湯流入弁孔における該裏面側の入側開口との間の、前記レバーハンドルの回動方向に沿った左右方向の中心に対して、該水流入弁孔における前記可動弁体側の表面側の出側開口と、該湯流入弁孔における該表面側の出側開口との間の前記左右方向の中心位置が左方向に離隔して位置するように、前記水流入弁孔における前記出側開口及び前記湯流入弁孔における前記出側開口のそれぞれが、対応する該水流入弁孔及び湯流入弁孔における各入側開口に対して左方向に位置をずらせて配置してあり、
前記レバーハンドルは、水栓本体の正面の中央位置から前記左方向の範囲で回動可能とし、且つ該中央位置から左方向の回動範囲は、該中央位置から左方向へ９０度よりも小角度にしてあることを特徴とするシングルレバー混合水栓。
【請求項３】
請求項１，２の何れかにおいて、前記水流入弁孔の出側開口と入側開口及び湯流入弁孔の出側開口と入側開口とが、それぞれ平面視において部分的に重なり合っていることを特徴とするシングルレバー混合水栓。
【発明の詳細な説明】
【技術分野】
【０００１】
この発明は、固定弁体及び固定弁体上を摺動する可動弁体を備えたシングルレバー混合水栓に関し、詳しくは固定弁体の形態に特徴を有するシングルレバー混合水栓に関する。
【背景技術】
【０００２】
従来、混合水栓として、水流入弁孔及び湯流入弁孔と混合水の流出弁孔とを備えた固定弁体と、水流入弁孔及び／又は湯流入弁孔と流出弁孔とを連通させる連通開口を備え、固定弁体上を摺動する可動弁体と、可動弁体を移動操作するレバーハンドルとを有し、レバーハンドルの上下方向の回動操作（起伏方向の回動操作）により弁開閉を行って吐止水と吐水の流量調節を行い、左右方向の回動操作（起伏方向と直角方向の回動操作）により左側位置の湯流入弁孔と右側位置の水流入弁孔の開度を互いに大小逆の関係で変化させて吐水の温度調節を行うシングルレバー混合水栓が広く用いられている。
【０００３】
このシングルレバー混合水栓では、レバーハンドルの上下方向の回動操作により可動弁体を固定弁体に対して直線状にスライド摺動させて弁開閉を行い、またレバーハンドルの左右方向の回動操作により可動弁体を固定弁体に対し回転摺動させて吐水の温度を変化させる。
例えば下記特許文献１にこの種形態のシングルレバー混合水栓が開示されている。
【０００４】
図１５はその具体例の要部を示している。
図中２００は水栓本体で、内部に弁カートリッジ２０２が組み込まれている。
２０４は弁カートリッジ２０２におけるカートリッジケースで、上部のケース本体２０４Ａと、下部の底蓋２０４Ｂとに分かれており、それらが図中上下に組み付けられている。
カートリッジケース２０４の内部には固定弁体２０６と、その上面を水密摺動する可動弁体２０８とが設けられている。
ここで固定弁体２０６，可動弁体２０８の何れもディスクから成っている。
【０００５】
可動弁体２０８は、駆動部２１０及びレバー軸２１２を介してレバーハンドル２１４に作動的に連結され、レバーハンドル２１４の操作によって可動弁体２０８が固定弁体２０６上を摺動するようになっている。
具体的には、レバーハンドル２１４を図１５中上下方向即ち起伏方向に操作すると、可動弁体２０８が図１５中左右方向に直線状に摺動運動し、またこれと直角方向即ち図１５の紙面と直角方向に回動操作すると、可動弁体２０８が固定弁体２０６上を回転摺動する。
【０００６】
図１６に示しているように固定弁体２０６には、使用者から見て相対的に右側位置の水流入弁孔２１６，左側位置の湯流入弁孔２１８及び混合水の流出弁孔２２０が、それぞれ固定弁体２０６を板厚方向に貫通して設けられている。
ここで水流入弁孔２１６，湯流入弁孔２１８，混合水の流出弁孔２２０のそれぞれは、可動弁体２０８側の表面側の開口の形状と、これとは反対側の裏面側の開口の形状とがそれぞれ異なった形状をなしている。
【０００７】
具体的には、図１６（Ｂ）に示しているように水流入弁孔２１６，湯流入弁孔２１８は、水，湯が各流入弁孔２１６，２１８に入り込む側の裏面側の入側開口２１６Ｂ，２１８Ｂがそれぞれ円形をなしており、また流出弁孔２２０も同様に、混合水が流出弁孔２２０から出る側の裏面側の出側開口２２０Ｂが円形をなしている。
ここで各入側開口２１６Ｂ，２１８Ｂ，及び出側開口２２０Ｂは同一径の円形をなしており、それぞれの中心が二等辺三角形（ここでは正三角形）の各頂点に位置するように配置されている。
【０００８】
これら水流入弁孔２１６，湯流入弁孔２１８における各入側開口２１６Ｂ，２１８Ｂは、図１５のカートリッジケース２０４における底蓋２０４Ｂの、水，湯のそれぞれの流入口２２７に形状，位置を合せて設けられている。
同様に流出弁孔２２０における出側開口２２０Ｂもまた、底蓋２０４Ｂに形成された、混合水の流出口２２８に形状，位置を合せて設けられている。
【０００９】
尚、入側開口２１６Ｂ，２１８Ｂ，出側開口２２０Ｂのそれぞれの周りには、図１５に示す固定弁体２０６と底蓋２０４Ｂとの間を水密にシールする円筒状の弾性を有するシールリング２２２を嵌め入れる嵌合凹部２２４が形成されている。
ここで３つの嵌合凹部２２４は、それぞれ同一径の円形をなしている。
【００１０】
ここで固定弁体２０６の裏面の形状は、流出弁孔２２０における出側開口２２０Ｂの左右方向の中心と、水流入弁孔２１６及び湯流入弁孔２１８におけるそれぞれの入側開口２１６Ｂと２１８Ｂとの間の左右方向の中心（レバーハンドル２１４の回動方向に沿った左右方向の中心。以下同様）とを結ぶ中心線ＰＢを対称軸として左右対称形状をなしている。
【００１１】
ここで中心線ＰＢは、底蓋２０４Ｂの流出口２２８における固定弁体２０６側の表面側の入側開口の左右方向の中心と、水，湯のそれぞれの流入口２２７における表面側の各出側開口の間の左右方向の中心とを結ぶ中心線と一致している。
また水，湯のそれぞれの流入口２２７における表面側の各出側開口の間の左右方向の中心は、水，湯のそれぞれの流入口２２７における裏面側の各入側開口の間の左右方向の中心とも一致している。
【００１２】
一方、図１６（Ａ）に示しているように、水流入弁孔２１６の表面側の出側開口２１６Ａ、湯流入弁孔２１８の表面側の出側開口２１８Ａはそれぞれが円弧形状をなしており、また流出弁孔２２０における表面側の入側開口２２０Ａは、図中の下部が略半円形状、上部がこれよりも幅広で扇状に拡がった形状をなしている。
【００１３】
固定弁体２０６は、図１６（Ａ）に示す表面側においても、流出弁孔２２０における入側開口２２０Ａの左右方向の中心、及び水流入弁孔２１６，湯流入弁孔２１８のそれぞれの出側開口２１６Ａと２１８Ａとの間の左右方向の中心を結ぶ中心線ＰＡを対称軸として左右対称形状をなしている。
他方、図１７に示すように可動弁体２０８の連通開口２２６は部分円形部と略部分矩形状部とを組み合せた略鍵穴形状をなしている。
【００１４】
図１５に示す従来のシングルレバー混合水栓において、固定弁体２０６の形状は、図１６（Ａ）に示す表面側の形状及び（Ｂ）に示す裏面側の形状の何れもが左右対称形状をなしており、且つ対称軸となる中心線ＰＡ，ＰＢが互いに表裏で一致する形状をなしている。
【００１５】
従来において、シングルレバー混合水栓は、水栓本体２００の正面を使用者に向けて、即ち使用者に正対させて設置される。
またレバーハンドル２１４は、左右方向の回動範囲内でその中央位置が水栓本体２００の正面の中央位置となるように設定され、従ってこの状態でレバーハンドル２００は使用者に対し正対した位置、且つ混合水吐水領域の丁度中心に位置した状態となる。
【００１６】
このシングルレバー混合水栓では、レバーハンドル２１４を左右方向の回動範囲の丁度中央に位置させた状態、つまり使用者に正対して位置させた状態でレバーハンドル２１４を図１５に示す止水状態から上向きに一杯まで開操作すると、図１７（Ｂ）に示しているように可動弁体２０８の連通開口２２６が、固定弁体２０６における水流入弁孔２１６，湯流入弁孔２１８のそれぞれの出側開口２１６Ａ，２１８Ａ、及び流出弁孔２２０における入側開口２２０Ａにまたがって位置した状態となってそれらを連通させ、ここにおいて水流入弁孔２１６から流入した水と、湯流入弁孔２１８から流入した湯とが、混合状態で流出弁孔２２０から流出する。
このとき吐水口からは水と湯とを等量で混合した混合水が吐水される。
【００１７】
またこの状態でレバーハンドル２１４を図１５中紙面と直角方向の左右方向に回動操作すると、可動弁体２０８が固定弁体２０６上を回転摺動し、水と湯との混合比率を変化させ、吐水の温度を高く或いは低く変化させる。
【００１８】
そして図１７（Ａ）に示しているように、レバーハンドル２１４を左方向に一杯まで回動操作すると、ここにおいて湯流入弁孔２１８における出側開口２１８Ａと、流出弁孔２２０における入側開口２２０Ａとが、可動弁体２０８の連通開口２２６を介して連通状態となり、湯のみが吐水口から吐水される。
【００１９】
逆に図１７（Ｃ）に示しているようにレバーハンドル２１４を右方向に一杯まで回動操作すると、ここにおいて水流入弁孔２１６における出側開口２１６Ａと流出弁孔２２０における入側開口２２０Ａとが、可動弁体２０８の連通開口２２６を介して連通状態となり、水のみが吐水口から吐水される。
【００２０】
尚、水のみを吐水する水吐水領域，湯のみを吐水する湯吐水領域は、それぞれ左右方向に所定角度（例えば５°）の範囲に亘って設定されており、そしてそれら水吐水領域，湯吐水領域の間の混合水吐水領域が８０°の角度範囲に亘って設定されている。
【００２１】
以上のような従来のシングルレバー混合水栓において、レバーハンドル２１４は通常は使用し易い左右回動方向の中央位置にあって使用者に正対した位置にあり、従ってこの状態で使用者が止水状態で無意識にハンドル操作して吐水させたとき、先ず混合水が吐水される。
使用者が本来水を使用したいと思っていたときには、その状態から使用者がレバーハンドル２１４を使用者から見て右方向に回動操作して、レバーハンドル２１４を水吐水位置まで持ち来すこととなる。
この場合、実際には使用者が水を出したいと思っていたにも拘らず、使用者の意思とは無関係に先ず混合水、つまり水に加えて湯が吐水されてしまい、湯が無駄に使用されてしまう。
【００２２】
尚、このような課題の解決を狙いとしたシングルレバー混合水栓が下記特許文献２，特許文献３に開示されている。
但し特許文献２に開示されているものでは、可動弁体の連通開口の形状を従来と異ならせることで課題解決を図っており、本発明と異なっている。
この特許文献２ではまた、他の解決手段として、固定弁体における水流入弁孔と湯流入弁孔との間の中心位置を左方向にずらせる点も開示されている。
但しそれら水流入弁孔，湯流入弁孔における裏面側の入側開口については開示されておらず、従ってそれらと出側開口との形状及び位置の関係等については何も開示されていない。
【００２３】
特許文献３に開示のものもまた、固定弁体における水流入弁孔，湯流入弁孔の形状及び位置を従来と異ならせることで課題解決を図っている。
但しこの特許文献３に開示のものにおいても、固定弁体における水流入弁孔，湯流入弁孔における出側開口と入側開口との形状的な関係や位置等の関係について一切言及されていない。
【先行技術文献】
【特許文献】
【００２４】
【特許文献１】特開２００３−２８３１９号公報
【特許文献２】特開２０１０−１８５５６９号公報
【特許文献３】特許第３２００５４０号公報
【発明の概要】
【発明が解決しようとする課題】
【００２５】
本発明は以上のような事情を背景とし、使用者の無意識な操作によって湯が無駄に消費されてしまうのを有効に防止することが可能なシングルレバー混合水栓を、従来のシングルレバー混合水栓を特に大幅に改変することなく安価に提供することを目的としてなされたものである。
【課題を解決するための手段】
【００２６】
而して請求項１のものは、(ａ)水流入弁孔及び湯流入弁孔と混合水の流出弁孔とを備えた固定弁体と、(ｂ)該水流入弁孔及び／又は湯流入弁孔と該流出弁孔とを連通させる連通開口を備え、前記固定弁体上を摺動する可動弁体と、(ｃ)該可動弁体を移動操作するレバーハンドルと、を有し、該レバーハンドルの上下方向の回動操作により弁開閉を行って吐止水と吐水の流量調節を行い、左右方向の回動操作により、前記水流入弁孔に対して相対的に左側に位置している前記湯流入弁孔と該水流入弁孔の開度を互いに大小逆の関係で変化させて吐水の温度調節を行うシングルレバー混合水栓において、前記水流入弁孔における前記可動弁体とは反対側の裏面側の入側開口と、前記湯流入弁孔における該裏面側の入側開口との間の、前記レバーハンドルの回動方向に沿った左右方向の中心に対して、該水流入弁孔における前記可動弁体側の表面側の出側開口と、該湯流入弁孔における該表面側の出側開口との間の前記左右方向の中心位置が左方向に離隔して位置するように、前記水流入弁孔における前記出側開口及び前記湯流入弁孔における前記出側開口のそれぞれが、対応する該水流入弁孔及び湯流入弁孔における各入側開口に対して左方向に位置をずらせて配置してあり、前記レバーハンドルは、水栓本体の正面の中央位置から前記左方向の範囲で回動可能とし、更に該中央位置から左方向の回動範囲より狭い範囲で、該中央位置から右方向にも回動可能としてあることを特徴とする。
【００２７】
請求項２のものは、(ａ)水流入弁孔及び湯流入弁孔と混合水の流出弁孔とを備えた固定弁体と、(ｂ)該水流入弁孔及び／又は湯流入弁孔と該流出弁孔とを連通させる連通開口を備え、前記固定弁体上を摺動する可動弁体と、(ｃ)該可動弁体を移動操作するレバーハンドルと、を有し、該レバーハンドルの上下方向の回動操作により弁開閉を行って吐止水と吐水の流量調節を行い、左右方向の回動操作により、前記水流入弁孔に対して相対的に左側に位置している前記湯流入弁孔と該水流入弁孔の開度を互いに大小逆の関係で変化させて吐水の温度調節を行うシングルレバー混合水栓において、前記水流入弁孔における前記可動弁体とは反対側の裏面側の入側開口と、前記湯流入弁孔における該裏面側の入側開口との間の、前記レバーハンドルの回動方向に沿った左右方向の中心に対して、該水流入弁孔における前記可動弁体側の表面側の出側開口と、該湯流入弁孔における該表面側の出側開口との間の前記左右方向の中心位置が左方向に離隔して位置するように、前記水流入弁孔における前記出側開口及び前記湯流入弁孔における前記出側開口のそれぞれが、対応する該水流入弁孔及び湯流入弁孔における各入側開口に対して左方向に位置をずらせて配置してあり、前記レバーハンドルは、水栓本体の正面の中央位置から前記左方向の範囲で回動可能とし、且つ該中央位置から左方向の回動範囲は、該中央位置から左方向へ９０度よりも小角度にしてあることを特徴とする。
【００２８】
請求項３のものは、請求項１，２の何れかにおいて、前記水流入弁孔の出側開口と入側開口及び湯流入弁孔の出側開口と入側開口とが、それぞれ平面視において部分的に重なり合っていることを特徴とする。
【発明の作用・効果】
【００２９】
以上のように本発明は、水流入弁孔における裏面側の入側開口と、湯流入弁孔における裏面側の入側開口との間の左右方向の中心に対して、水流入弁孔における表面側の出側開口と、湯流入弁孔における表面側の出側開口との間の左右方向の中心位置が左方向、つまり湯側に離隔して位置するように、水流入弁孔及び湯流入弁孔における出側開口のそれぞれを、対応する各入側開口に対して左方向に位置をずらせて配置したものである。
【００３０】
本発明によれば、固定弁体における水流入弁孔，湯流入弁孔及び混合水の流出弁孔における裏面側の各開口、詳しくは水流入弁孔における入側開口，湯流入弁孔における入側開口，流出弁孔における出側開口のそれぞれを従来と同様の形状，位置に保持しつつ、水流入弁孔，湯流入弁孔における表面側の各出側開口を従来よりも左方向に位置をずらせて配置しておくことが可能となる。
【００３１】
この場合、水流入弁孔，湯流入弁孔のそれぞれの出側開口の、各入側開口に対する左方向の離隔距離を適宜に設定することで、固定弁体における水流入弁孔の出側開口を使用者に対し正対位置に位置させることが可能となり、使用者に対し正対位置に位置させたレバーハンドルを開操作したときに、可動弁体の連通開口が水流入弁孔だけに、詳しくはその出側開口だけにかかる（重なる）ようになすことができ、正対位置にあるレバーハンドルを開操作したときに水だけを吐水させるようになすことができる。
これにより湯が無駄に使用されてしまうのを有効に防止することができ、節湯を図ることができる。
【００３２】
本発明は、固定弁体における水流入弁孔，湯流入弁孔を全体的に従来よりも左方向に位置変更するのではなく、裏面側の各開口即ち水流入弁孔及び湯流入弁孔における各入側開口、更には混合水の流出弁孔における裏面側の出側開口を従来と同じ形状，同じ位置に保持しながら、表面側の開口だけを、具体的には水流入弁孔及び湯流入弁孔における各出側開口だけを左方向に位置をずらせて配置することが可能であり、そしてこのことによって、従来のシングルレバー混合水栓、特に既設のシングルレバー混合水栓における固定弁体の周辺の部材をそのままにして、固定弁体を取り替えるのみで、使用者に正対した位置のレバーハンドルを開操作したときに水のみを吐水可能なシングルレバー混合水栓を実現できる利点を有する。
【００３３】
本発明では、レバーハンドルを、水栓本体の正面の中央位置から左方向の範囲で回動可能としておくのみならず、中央位置から左方向の回動範囲より狭い範囲で、中央位置から右方向にも回動可能としておくことができる（請求項１）。
【００３４】
また、レバーハンドルを、水栓本体の正面の中央位置から左方向の範囲で回動可能とし、且つ中央位置から左方向の回動範囲を、中央位置から左方向へ９０度よりも小角度にしておくことができる（請求項２）。
【００３５】
尚本発明においては、水流入弁孔及び湯流入弁孔における表面側の各出側開口を、裏面側の各対応する入側開口に対し、平面視において重なり合わない位置及び形状で設けておくことも可能である。
但しこの場合には上流側から固定弁体に到った水，湯の流れがそこで急激に向きを変えられてしまい、同部分で水，湯の流れに対して大きな抵抗が生じてしまう。
従って請求項３に従い、水流入弁孔の出側開口と入側開口及び湯流入弁孔の出側開口と入側開口とを、それぞれ平面視において部分的に重なり合うような位置及び形状で設けておくことが望ましい。
【００３６】
尚、レバーハンドルが使用者に対し正対した位置を、水だけを吐水する水吐水位置となしておく場合において、その正対位置を含む左右方向の所定範囲を水吐水領域として設定しておくことができる。
その水吐水領域の角度範囲は５°以上，１５°以下となしておくことが望ましい。
【００３７】
更にこの場合において、レバーハンドルが混合水吐水領域と水吐水領域との境界を通過する際にクリック感を発生させるクリック機構を設けておくことが望ましい。
【図面の簡単な説明】
【００３８】
【図１】参考例のシングルレバー混合水栓の内部構造を示した図である。
【図２】図１の弁カートリッジ内部を組付け状態で周辺部とともに示した図である。
【図３】図２における弁カートリッジの構成部材を周辺部材とともに分解して示した図である。
【図４】図２における固定弁体と底蓋との組付けの位置関係を示した図である。
【図５】図２の弁カートリッジにおける固定弁体を示した図である。
【図６】同例の各種吐水状態における固定弁体と可動弁体との位置関係をレバーハンドルの回転操作位置とともに示した図である。
【図７】本発明の実施形態の固定弁体を示した図である。
【図８】同実施形態の各種吐水状態における固定弁体と可動弁体との位置関係をレバーハンドルの回転操作位置とともに示した図である。
【図９】本発明の他の実施形態の要部を示した図である。
【図１０】本発明の更に他の実施形態における固定弁体を示した図である。
【図１１】同実施形態のカートリッジケースの底蓋の表側と裏側の形状を示した図である。
【図１２】図１１の底蓋とハウジングの底部との関係を示した図である。
【図１３】本発明の更に他の実施形態における底蓋を示した図である。
【図１４】同実施形態の底蓋とハウジングの底部との関係を示した図である。
【図１５】従来公知のシングルレバー混合水栓の例を示した図である。
【図１６】図１５の固定弁体として従来用いられているものを示した図である。
【図１７】従来のシングルレバー混合水栓の各種吐水状態における固定弁体と可動弁体との位置関係をレバーハンドルの回転操作位置とともに示した図である。
【発明を実施するための形態】
【００３９】
次に本発明の実施形態を参考例とともに図面に基づいて詳しく説明する。
図１において（図１〜図６は参考例を示す）、１０はシングルレバー混合水栓で、水栓本体１２と、その上部のレバーハンドル１４とを有している。
１６は、水栓本体１２の本体ボデーをなすハウジングで円筒状をなす周壁１８と、これとは別体をなす底部２０とを有しており、その内部に弁カートリッジ２２を収容状態で保持している。
【００４０】
周壁１８からは挿通部２４が一体に図中下向きに延び出している。
挿通部２４は、カウンタ２６の取付穴２８を下向きに挿通し、そしてその外周面に形成された雄ねじにカウンタ２６の裏側で締結ナット３０がねじ込まれ、周壁１８の下面をカウンタ２６に着座させる状態にハウジング１６をカウンタ２６に締結固定している。
【００４１】
上記底部２０には水，湯の流入通路３２及び混合水の流出通路３４が形成されており、そしてその流入通路３２に内部を連通させる状態で、水，湯の流入管３６が底部２０に対してねじ結合され、また流出通路３４に内部を連通させる状態で流出管３８が溶接にて接合されている。
この例では、ハウジング１６が、これにねじ込まれて上記の弁カートリッジ２２を押込み、固定する固定ナット４０とともに化粧カバー４２にて外側から覆われている。
【００４２】
図２に、弁カートリッジ２２の構成が周辺部とともに詳しく示してある。
図において４４は、弁カートリッジ２２におけるカートリッジケースで、このカートリッジケース４４は上部のケース本体４４-１と、下部の底蓋４４-２との２分割構造とされており、それらが上下に組み合されてカートリッジケース４４を構成している。
【００４３】
底蓋４４-２は、図３にも示しているように下向きに突出した一対の筒状部４６，４７と、脚４８とを有しており、図１にも示しているようにそれらの先端（下端）をハウジング１６における底部２０の上面に当接させている。
【００４４】
底蓋４４-２には、一方の筒状部４６の内部を通る水の流入口５０（図２〜図４参照）と、他方の筒状部４７の内部を通る湯の流入口５１（図３，図４参照）が形成されている。そして水の流入口５０及び湯の流入口５１のそれぞれが、ハウジング１６の底部２０に形成された水，湯の流入通路３２のそれぞれに連通せしめられている。
底蓋４４-２にはまた、流入口５０，５１とは別の位置において混合水の流出口５２が形成されている。
【００４５】
この流出口５２の下側には、これに連通した水室５４が形成されており、流出口５２から流出した混合水が、この水室５４を経て底部２０の上記の流出通路３４へと流出するようになっている。
ここで水室５４は、底蓋４４-２とハウジング１６における底部２０及び周壁１８との間に形成されている。
【００４６】
底蓋４４-２の上面には、図３及び図４にも示しているように一対の流入口５０，５１の上端の後述の出側開口５０Ａ，５１Ａ及び流出口５２の上端の後述の入側開口５２Ａをそれぞれ取り巻くようにして、弾性を有する円筒状のシールリング５６が保持されており、これらシールリング５６によって、底蓋４４-２と後述の固定弁体５８との間が水密にシールされている。
【００４７】
図２に示しているように、カートリッジケース４４の内部には固定弁体５８と、その上面を摺動する可動弁体６０とが収容されている。
ここで固定弁体５８と可動弁体６０とは何れもディスクから成っている。
可動弁体６０は、駆動部６２を介してレバー軸６４に作動的に連結され、またレバー軸６４は、その上端側が図１に示すように固定ビス６６によってレバーハンドル１４に固定され、レバー軸６４がレバーハンドル１４と一体に移動するようになっている。
【００４８】
レバー軸６４の下端部は、支持ピン６８を介して回転体７０に一体回転状態に連結されており、更にレバー軸６４には図３に示しているように下方に突き出す一対のフォーク部７２が設けられていて、このフォーク部７２が、上記の駆動部６２の凹部７４内に係入されている。
【００４９】
而してレバー軸６４は、レバーハンドル１４と一体に支持ピン６８周りに回動運動し、また回転体７０の回転軸心周りに回転体７０とともに回転運動し、レバーハンドル１４の操作を駆動部６２を介して可動弁体６０に伝えて、可動弁体６０を対応する方向に摺動運動させる。
【００５０】
具体的には、レバーハンドル１４が図１中上下方向に回動操作されると、可動弁体６０が図２中左右方向に直線状に摺動運動し、またレバーハンドル１４が図１の紙面と直角方向の左右方向に回動操作されると、可動弁体６０が図２において紙面と直角方向に回転摺動する。
【００５１】
図５に示しているように、固定弁体５８には水流入弁孔７６と、湯流入弁孔７８と、混合水の流出弁孔８０とが板厚方向に貫通して設けられている。
この例において固定弁体５８は、水流入弁孔７６，湯流入弁孔７８，混合水の流出弁孔８０のそれぞれが、可動弁体６０側の表面側と、これとは反対側の裏面側とで形状が異なっている。
【００５２】
図５（Ｂ）はその裏面側の形状を示している。
図５（Ｂ）において、７６Ｂは水流入弁孔７６における入側の開口を、７８Ｂは湯流入弁孔７８における入側の開口を、また８０Ｂは流出弁孔８０における出側の開口をそれぞれ表している。
図に示しているようにこれらの入側の開口７６Ｂ，７８Ｂ及び出側の開口８０Ｂは、何れもが同一径の円形をなしており、且つそれぞれの中心が二等辺三角形（ここでは正三角形）の各頂点に位置している。
【００５３】
図中Ｐ１Ｂは、出側開口８０Ｂの左右の中心及び水流入弁孔７６，湯流入弁孔７８における入側開口７６Ｂと７８Ｂとの間の左右の中心を結ぶ中心線で、固定ディスク５８は裏面側の形状がこの中心線Ｐ１Ｂを対称軸として左右対称形状をなしている。
【００５４】
尚、水流入弁孔７６，湯流入弁孔７８における入側開口７６Ｂ，７８Ｂの周り、更に流出弁孔８０における出側開口８０Ｂの周りには、上記の円筒状のシールリング５６の上部を嵌入させる円形の嵌合凹部８２が形成されている。
【００５５】
この図５（Ｂ）に示す水流入弁孔７６における入側開口７６Ｂ，湯流入弁孔７８における入側開口７８Ｂ、及び流出弁孔８０における出側開口８０Ｂは、それぞれ図１６（Ｂ）に示す従来の固定弁体２０６の対応する開口と同形状且つ同一の位置関係をもって配置されており、従って水流入弁孔７６における入側開口７６Ｂは、図３に示す底蓋４４-２側の水の流入口５０に対して形状及び位置が合致せしめられており（図４参照）、また湯流入弁孔７８における入側開口７８Ｂも、図３に示す底蓋４４-２の湯の流入口５１に対して形状及び位置が合致せしめられている。
更に流出弁孔８０における出側開口８０Ｂもまた、図３の底蓋４４-２における流出口５２に対して形状及び位置が合致せしめられている。
また図５（Ｂ）の中心線Ｐ１Ｂは使用者に対して丁度正対した向きをなしている。即ちレバーハンドル１４を使用者に正対する位置に位置させたときに、そのレバーハンドル１４の中心線Ｑ（図６参照）と丁度合致する向きをなしている。
【００５６】
この例において、底蓋４４-２は図１５に示す従来用いられている底蓋２０４Ｂと同じ形状のもので、ハウジング１６における底部２０の水の流入通路３２及び湯の流入通路３２の図中上端の各開口を基準として、水の流入口５０，湯の流入口５１の位置が定められている。
詳しくは水の流入通路３２及び湯の流入通路３２の図中上端の各開口の間の左右方向の中心を基準として、水流入口５０，湯の流入口５１の図中各下端の入側開口５０Ｂ，５１Ｂの間の左右方向の中心が一致せしめられている。
また水流入口５０，湯流入口５１における各上端の出側開口５０Ａ，５１Ａの間の左右方向の中心が、各入側開口５０Ｂ，５１Ｂの左右方向の中心に一致せしめられている。
即ち、固定弁体５８の水流入弁孔７６における裏面側の入側開口７６Ｂと、湯流入弁孔７８における裏面側の入側開口７８Ｂとの間の左右方向の中心が、ハウジング１６における底部２０の水流入通路３２の上端開口と湯流入口３２の上端開口との間の左右方向の中心に一致している。
【００５７】
図５（Ａ）は、固定弁体５８の表面側の形状を示している。
同図において７６Ａ，７８Ａは、それぞれ水流入弁孔７６における出側開口，湯流入弁孔７８における出側開口を表しており、また８０Ａは流出弁孔８０における入側開口を表している。
ここで出側開口７６Ａ，７８Ａはそれぞれ円弧形状をなしており、また流出弁孔８０における入側開口８０Ａは略半円形状をなす小口部８０Ａ-１と、これより幅広で略扇状をなす大口部８０Ａ-２とを有する形状をなしている。
【００５８】
図５（Ａ）に示しているように、ここでは流出弁孔８０における入側開口８０Ａの大口部８０Ａ-２の左右の中心、及び水流入弁孔７６における出側開口７６Ａと湯流入弁孔７８における出側開口７８Ａとの間の左右の中心を結ぶ中心線Ｐ１Ａを対称軸として、各出側開口７６Ａ，７８Ａ、更に入側開口８０Ａが左右対称形状をなしている。
また表面側の中心線Ｐ１Ａは、裏面側の中心線Ｐ１Ｂに対し角度θＡ（ここではθＡ＝４５°）をなしている。
【００５９】
即ちここでは裏面側の出側開口７６Ｂと７８Ｂとの間の左右の中心に対し、表面側の出側開口７６Ａと７８Ａとの間の左右方向の中心が、左方向に４５°離隔した位置に位置させられており、出側開口７６Ａ及び７８Ａが入側開口７６Ｂ，７８Ｂに対しそれぞれレバーハンドル１４の回動方向に沿って左方向に全体的に位置をずらせて配置してある。
【００６０】
但しここでは水流入弁孔７６における出側開口７６Ａと入側開口７６Ｂとが平面視において部分的に重なり合っており、同様に湯流入弁孔７８における出側開口７８Ａと入側開口７６Ｂとが部分的に重なり合っており、更に流出弁孔８０においても入側開口８０Ａと出側開口８０Ｂとが部分的に重なり合っている。
【００６１】
図２において、固定弁体５８の上面を摺動する可動弁体６０には、固定弁体５８における水流入弁孔７６と湯流入弁孔７８との両方又は何れか一方を流出弁孔８０に連通させる連通開口８４が、可動弁体６０を板厚方向に貫通して設けられている。
【００６２】
水流入弁孔７６，湯流入弁孔７８を通じて流入した水と湯とは、駆動部６２に形成された混合室８６を経由し、混合水となって流出弁孔８０から底蓋４４-２に設けられた流出口５２へと流出する。
尚、可動弁体６０とその駆動部６２との間には、それらの間を水密にシールする弾性を有するシールリング（Ｏリング）８８が設けられている。
ここで可動弁体６０の連通開口８４は、図６に示しているように部分円形状をなす第１部分８４-１と、部分矩形状をなす第２部分８４-２とを有する概略鍵穴形状をなしている。
【００６３】
図６は水吐水，混合水吐水，湯吐水のときの固定弁体５８と可動弁体６０との位置関係を、レバーハンドル１４の回動操作位置とともに表している。
図６（ロ）（Ｃ）は、レバーハンドル１４が水栓本体１２の正面中央位置にあって使用者に正対した位置（これを基準位置Ｘ（図６（イ）参照）とする）にあるときの状態を表している。
図６（ロ）（Ｃ）において、Ｑはレバーハンドル１４の中心線を表しており、このとき可動弁体６０の中心線Ｐ２（可動弁体６０は中心線Ｐ２を対称軸として左右対称形状をなしている）もレバーハンドル１４の中心線Ｑと同方向、つまり使用者に正対した向きに位置している。
【００６４】
この例では、図６（イ）に示すようにレバーハンドル１４が使用者に正対した基準位置Ｘから左方向に角度α（ここではα＝９０°）回動可能で、基準位置Ｘから角度θ２の範囲が水吐水領域，その水吐水領域から角度θ１の範囲が混合水吐水領域、更にその混合水吐水領域から角度θ３の範囲内が湯吐水領域をなしている。
【００６５】
ここでは水吐水領域の角度θ２，湯吐水領域の角度θ３がそれぞれ５°に設定してあり、そしてレバーハンドル１４の全回動範囲であるα＝９０°から水吐水領域のθ２と湯吐水領域のθ３とを除いた角度θ１＝８０°が混合水吐水領域として設定してある。
【００６６】
図６（ロ）（Ｂ）は、レバーハンドル１４を使用者に正対した基準位置ＸからθＡ＝４５°左方向に回動させたときの状態を表しており、このときレバーハンドル１４は、左右方向の全回動範囲の丁度中央、つまり混合水吐水領域の丁度中央に位置した状態にあり、この状態でレバーハンドル１４を止水状態から上向きに回動操作して開操作すると、図６（Ｂ）の下段に示しているように可動弁体６０の連通開口８４が、固定弁体５８における水流入弁孔７６と湯流入弁孔７８とに対して、詳しくはそれらの出側開口７６Ａと７８Ａとに対して等しく重なった状態となり、従ってこの状態では水と湯とが等量で連通開口８４内に流入して、その混合水が水栓の吐水口から吐水される。
【００６７】
この状態からレバーハンドル１４を混合水吐水領域内で左右方向に回動操作すると、水流入弁孔７６，湯流入弁孔７８におけるそれぞれの開度が互いに大小逆の関係で変化し、これに応じて吐水口から吐水される混合水の温度が変化する。
【００６８】
そして混合水吐水領域を超えてレバーハンドル１４を右方向に一杯まで回動操作すると、即ちレバーハンドル１４を使用者に正対する基準位置Ｘまで回動操作すると、ここにおいて水流入弁孔７６だけが可動弁体６０の連通開口８４に連通した状態、詳しくは連通開口８４を介して固定弁体５８の流出弁孔８０に連通した状態となり、流入弁孔７６からの水のみが流出弁孔８０から流出し、吐水口から吐水（水吐水）される。
【００６９】
逆にレバーハンドル１４を、混合水吐水領域を超えて左方向に一杯まで回動操作すると、図６（ロ）（Ａ）に示しているように今度は湯流入弁孔７８だけが可動弁体６０の連通開口８４に連通した状態、詳しくは連通開口８４を介して固定弁体５８の流出弁孔８０に連通した状態となり、ここにおいて流入弁孔７８からの湯だけが流出弁孔８０を通じて流出し、水栓の吐水口から吐水（湯吐水）される。
水流入弁孔７６，湯流入弁孔７８，可動弁体６０における連通開口８４の形状が予めそのように定められている。
【００７０】
この例では、レバーハンドル１４を使用者にとって最も使い易い位置である、使用者に正対した基準位置Ｘに位置させた状態でこれを開操作すると、図６（ロ）（Ｃ）に示しているように水流入弁孔７６だけが開かれて吐水口から水吐水される。即ちこのときには湯を含まない水だけが吐水される。
【００７１】
以上のように本例によれば、使用者にとって使い易い基準位置Ｘにあるレバーハンドル１４を開操作したとき、湯を含まない水だけが吐水される。
これにより使用者の意図に反して湯が無駄に使用されてしまうのを有効に防止することができ、節湯を図ることができる。
【００７２】
本例では、固定弁体５８における裏面側の各開口、即ち水流入弁孔７６及び湯流入弁孔７８における各入側開口７６Ｂ，７８Ｂ、更には混合水の流出弁孔８０における裏面側の出側開口８０Ｂを、従来と同じ形状，同じ位置に保持してあるため、従来のシングルレバー混合水栓、特に既設のシングルレバー混合水栓における固定弁体５８の周辺の部材をそのままにして、固定弁体５８のみを取り替えるだけで、本例のシングルレバー混合水栓１０を実現することができる。
【００７３】
この例ではまた、可動弁体６０として従来のものと同じものを用いることが可能であって、その連通開口８４の、固定弁体５８における水流入弁孔７６，湯流入弁孔７８との重なり面積を拡く確保でき、従って連通開口８４の、水流入弁孔７６及び湯流入弁孔７８との重なり部分の形状が小形状化することによって、流量を絞ってしまう問題を生じない利点を有する。
【００７４】
図７，図８は本発明の実施形態を示している。
図６では、レバーハンドル１４が水栓本体の正面の中央位置、即ち使用者に正対した基準位置Ｘから左方向にα＝９０°まで回動可能であり、そして左方向に一杯まで回動させた状態でレバーハンドル１４の開操作により湯を吐水するものとなしているが、この場合、湯を吐止水する際のレバーハンドル１４の位置が使用者から遠く、操作性の点で若干難点がある。
そこでこの図７及び図８に示す実施形態では、レバーハンドル１４の左方向の回動の角度範囲を図６に示すものよりも小角度となしている。
【００７５】
具体的にはここでは、レバーハンドル１４を使用者に正対した基準位置Ｘから左方向に最大α＝６７．５°の範囲で回動可能とし、そして図８（イ）に示しているように左方向に一杯まで回動させた位置で湯（湯だけ）を吐水するようになしている。
尚この実施形態においても、レバーハンドル１４が使用者に正対した基準位置Ｘから左方向に角度θ２に亘る領域が水吐水領域とされ、そして水吐水領域を超えた左側領域がθ１の角度に亘って混合水吐水領域とされ、更にその混合水吐水領域を超えた左側領域が角度θ３に亘って湯吐水領域とされている。
【００７６】
ここで角度θ２に亘る水吐水領域，角度θ３に亘る湯吐水領域は図６に示す吐水領域と同じで、それぞれθ２，θ３の角度は５°の範囲である。
また角度θ１に亘る混合水吐水領域はここでは５７．５°の範囲であり、そして混合水吐水領域における中央位置が、レバーハンドル１４を使用者に正対した基準位置Ｘから左向きに３３．７５°回動させた位置となる。
これに応じてこの実施形態では、図７に示すように固定ディスク５８における中心線Ｐ１Ａの傾き角度θＡが、３３．７５°に設定されている。
【００７７】
またこの実施形態ではレバーハンドル１４の中心線Ｑ、従って可動弁体６０における中心線Ｐ２が使用者に対し正対した位置で、厳密にはレバーハンドル１４が水吐水領域にある状態でレバーハンドル１４を開操作したときに水だけが吐水され、またその位置からレバーハンドル１４を左向きに６７．５°回動させた位置で、厳密にはレバーハンドル１４が湯吐水領域にある状態でこれを開操作したときに湯だけが吐水されるように、水流入弁孔７６及び湯流入弁孔７８が、より詳しくはそれらの出側開口７６Ａ，７８Ａが、図６に示すものに比べて若干形状を異ならせてある。
【００７８】
この実施形態ではまた、図６に示す実施形態に比べて、レバーハンドル１４における水吐水領域が若干拡く設定されている。
具体的には、レバーハンドル１４が使用者に正対した基準位置Ｘから更に右向きに微小角度θ４に亘って、つまり全体としてθ２＋θ４の角度に亘って水吐水領域が設定してある。
ここではθ４の角度は２．５°であり、従って水吐水領域はθ２の５°にθ４の２．５°を加えた７．５°の範囲に亘っている。
従ってこの実施形態において、レバーハンドル１４の左右方向の全回動範囲はβ＝７０°である。
尚、他の点については上記参考例と基本的に同様である。
この図７及び図８に示す実施形態の場合、湯を吐止水操作する際のレバーハンドル１４の位置が、図６に示す例に比べて使用者に近く、従って湯を吐止水する際の操作性がより良好である。
【００７９】
ところでレバーハンドル１４が現在水吐水領域にあるのか、又はそうでないのかを使用者が明確に認識できない場合、意図せず使用者が湯を含んだ水（湯を小量含んだ混合水）を吐水させてしまうことが有り得る。
従ってレバーハンドル１４が水吐水領域にあるか否かを使用者に認識させる手段を設けておくことが好ましい。
【００８０】
図９はそのための手段としてのクリック機構を設けた例を示している。
図に示しているように、ここでは先端に突起９０を有するピン９２を、レバーハンドル１４と一体に回転する回転体７０に取り付けるとともに、カートリッジケース４４における上記のケース本体４４-１の側に円弧状の溝９４を設けて、周方向の両端をストッパ９６，９７となし、ピン９２の突起９０をその溝９４内で回転移動可能とするとともに、ストッパ９６，９７に対する当接によってレバーハンドル１４の左右方向の回動を規定するようになしている。
更にケース本体４４-１には、溝９４の底面から回転体７０側に突出する断面山形状の係合突起９８を設け、回転体７０に設けた突起９０がこの係合突起９８を弾性的に乗り越える際に、そこでクリック感を発生させるようになしている。
同図中１００は、突起９０と係合突起９８とでクリック感を発生させるクリック機構を示している。
【００８１】
この例では、突起９０がストッパ９７と係合突起９８との間で移動する範囲が水吐水領域であり、レバーハンドル１４が水吐水領域を超えて混合水吐水領域に移動する際に、突起９０が係合突起９８を乗り越えることで、そこでクリック感を発生させ、使用者に対しレバーハンドル１４が水吐水領域から混合水吐水領域に移行したことを知らせる。
或いは逆に、突起９０が係合突起９８を乗り越えて図９（Ｃ）中上向きに移動する際にクリック感を発生させることで、レバーハンドル１４が混合水吐水領域から水吐水領域に移行したことを使用者に対して認識させる。
この例では、ストッパ９７から係合突起９８までの角度範囲が図８（イ）に示すθ２＋θ４の角度範囲となる。
但し図６（イ）に示す角度θ２となしておくこともできる。
【００８２】
このように水吐水領域を、レバーハンドル１４が使用者に正対した位置、より具体的にはレバーハンドル１４が水栓本体１２の正面の中央位置にあって使用者に正対した基準位置Ｘを挟んでその左右両側に微小角度に亘って水吐水領域を設定しておくことで、水吐水の際の操作性を良好となすことができ、望ましい。
【００８３】
図１０〜図１２は、本発明の更に他の実施形態を示している。
この例では、固定弁体５８における図１０（Ａ）の中心線Ｐ１Ａ、即ち表面側の流出弁孔８０における出側開口８０Ａの左右の中心と、水流入弁孔７６，湯流入弁孔７８における各表面側の出側開口７６Ａと７８Ａとの間の左右の中心を結ぶ中心線Ｐ１Ａが、基準方向Ｙに対して角度θＡ（ここではθＡ＝３２．５°）で左方向（レバーハンドル１４の回動方向に沿って左方向）に傾斜している。
ここで基準方向Ｙは、図５（Ｂ）の中心線Ｐ１Ｂと同じ方向であって、使用者に対して丁度正対した向きである。
【００８４】
具体的には、ハウジング１６における底部２０の流出通路３４の図中の上端開口の左右の中心と、水の流入通路３２及び湯の流入通路３２の図中の各上端開口の間の左右の中心とを結ぶ中心線の方向と同方向で、この方向はレバーハンドル１４が図６の基準位置Ｘにあるときのレバーハンドル１４の方向と同じ方向である。
【００８５】
この実施形態ではまた、固定ディスク５８の図１０（Ｂ）中裏面側の中心線Ｐ１Ｂ、即ち流出弁孔８０における出側開口８０Ｂの左右の中心と、水流入弁孔７６及び湯流入弁孔７８における裏面側の各入側開口７６Ｂと７８Ｂとの間の左右の中心とを結ぶ中心線Ｐ１Ｂもまた、基準方向Ｙに対して中心線Ｐ１Ａと同じ左方向に角度θＢ（ここではθＢ＝１０°）で傾斜している。
【００８６】
ここで中心線Ｐ１Ｂもまた、中心線Ｐ１Ａと同方向に傾斜させているのは、固定弁体５８の水流入弁孔７６における入側開口７６Ｂ，湯流入弁孔７８における入側弁孔７８Ａを、図５に示すものよりもレバーハンドル１４の回動方向に沿って左方向に位置をずらせることで、水流入弁孔７６における出側開口７６Ａと入側開口７６Ｂとの重なり面積（平面視における重なり面積）を拡くし、また同様に湯流入弁孔７８における出側開口７８Ａと入側開口７８Ｂとの重なり面積を拡くするためである。
【００８７】
但しそのようにすると、固定弁体５８における水流入弁孔７６及び湯流入弁孔７８における各入側開口７６Ｂ，７８Ｂの位置が、図１のハウジング１６における底部２０の水の流入通路３２及び湯の流入通路３２の図中の上端開口に対して左方向に位置がずれてしまう。
そこでこの実施形態では、底蓋４４-２の形状を図１〜図４に示すものとは異ならせている。
【００８８】
図１１及び図１２にその底蓋４４-２の形状が示してある。
ここで図１１（Ａ）は底蓋４４-２の表面側の形状を、図１１（Ｂ）は裏面側の形状をそれぞれ示している。
図１１（Ａ）に示しているように、ここでは流出口５２における可動弁体５８側の表面側の入側開口５２Ａの左右の中心と、水の流入口５０における表面側の出側開口５０Ａ及び湯の流入口５１における表面側の出側開口５１Ａの間の左右の中心とを結ぶ中心線Ｐ２Ａが、上記の基準方向Ｙに対して角度θＢ（ここではθＢ＝１０°）で傾斜している。
【００８９】
一方、図１１（Ｂ）に示す裏面側においては、水の流入口５０における入側開口５０Ｂと湯の流入口５１における入側開口５１Ｂとの間の左右の中心が上記の基準方向Ｙ上に位置している。
即ち図１１（Ａ）の水流入口５０における出側開口５０Ａと、湯の流入口５１における出側開口５１Ａとが、水の流入口５０，湯の流入口５１における各対応する入側開口５０Ｂ，５１Ｂに対して、レバーハンドル１４の回動方向に沿って左方向に位置をずらせて配置してある。
【００９０】
この結果本実施形態における底蓋４４-２では、水の流入口５０，湯の流入口５１におけるそれぞれの出側開口５０Ａ，５１Ａが、図１０（Ｂ）の水流入弁孔７６，湯流入弁孔７８における各入側開口７６Ｂ，７８Ｂに対してそれぞれ位置が一致し、また図１１（Ｂ）の水の流入口５０，湯の流入口５１におけるそれぞれの入側開口５０Ｂ，５１Ｂが、図１の底部２０における水の流入口３２，湯の流入口３２のそれぞれの図中の上端開口に対して位置が一致している。
【００９１】
尚図１１（Ａ）において、１０６は図２のシールリング５６を嵌め入れる底蓋４４-２側の嵌合凹部である。
また図１１（Ｂ）において、１０８は図２のシールリング（Ｏリング）１１０を嵌め入れるための環状溝である。
更に図１２（Ｂ）において、１０２は脚４８の先端に形成された位置決め突起であり、また１０４は底部２０に設けられた位置決め穴である。
【００９２】
この実施形態では、固定弁体５８における水流入弁孔７６，湯流入弁孔７８の裏面側の入側開口７６Ｂ，７８Ｂのそれぞれを、従来の固定弁体のそれよりも左方向に位置をずらせて配置してあるため、水流入弁孔７６，湯流入弁孔７８それぞれにおける表面側の出側開口７６Ａ，７８Ａと裏面側の入側開口７６Ｂ，７８Ｂとの重なり面積をより拡くすること（拡く確保すること）ができる。
【００９３】
そして重なり面積を拡くすることで、水流入弁孔７６，湯流入弁孔７８における入側開口７６Ｂ，７８Ｂから出側開口７６Ａ，７８Ａにかけての水，湯の流れをよりスムーズな流れとすることができ、このことによって吐水時における水，湯のそれぞれの流量を多くすることができ、また通水時に生ずる通水音を低減できる利点が得られる。
【００９４】
また本実施形態では、固定弁体５８の水流入弁孔７６及び湯流入弁孔７８の裏面側の各入側開口７６Ｂ，７８Ｂの位置を、上記のように左方向にずらせて配置しているにも拘らず、カートリッジケース４４の底蓋４４-２の形状を変えることで水栓本体１２の水，湯の流入通路３２の位置を変えることなく、それら水，湯の各流入通路３２と固定弁体５８における水流入弁孔７６，湯流入弁孔７８の各入側開口７６Ｂ，７８Ｂとを、カートリッジケース４４の底蓋４４-２の水，湯の各流入口にて良好に連絡し得、従来の水栓の本体ボデーをそのまま用いながら、カートリッジケース４４の底蓋４４-２を部分的に取り変えるだけで、上記した重なり面積の更なる拡大を実現することができる。
【００９５】
上記実施形態では、底蓋４４-２に脚４８及び筒状部４６，４７を設けて水室５４を形成しているが、図１３及び図１４に示しているように、底蓋４４-２側の筒状部４６，４７及び脚４８を無くし、水室５４を形成することなく底蓋４４-２を直接ハウジング１６における底部２０に着座させるようになすことも可能である。
【００９６】
そのためこの図１３，図１４の実施形態では、底蓋４４-２の裏面側において、水の流入口５０，湯の流入口５１における入側開口５０Ｂ，５１Ｂ周りに加えて、流出口５２における出側開口５２Ｂ周りに環状溝１０８を設けて、そこにシールリング（Ｏリング）１１０（図１，図２参照）を保持させ、そして水の流入口５０における入側開口５０Ｂを、ハウジング１６における底部２０の水の流入通路３２の上端開口に合致させ、また湯の流入口５１における入側開口５１Ｂを底部２０の湯の流入通路３２の上端開口に合致させるとともに、流出口５２における出側開口５２Ｂを底部２０の流出通路３４の上端開口に合致させた状態で、底蓋４４-２の下面をシールリング１１０を介して底部２０の上面に水密にシール状態に着座させるようにしている。
【００９７】
以上本発明の実施形態を参考例とともに詳述したがこれはあくまで一例示である。例えば本実施形態のシングルレバー混合水栓では、弁カートリッジ２２を収容する水栓本体の周壁１８と底部２０とが別体で構成されているが、これらを一体で構成するものであっても良く、また上記のように弁カートリッジ２２についても脚４８を有していない構成とすることもできるなど、本発明はその趣旨を逸脱しない範囲において種々変更を加えた形態で構成可能である。
【符号の説明】
【００９８】
１０  シングルレバー混合水栓
１２  水栓本体
１４  レバーハンドル
５８  固定弁体
６０  可動弁体
７６  水流入弁孔
７８  湯流入弁孔
８０  流出弁孔
７６Ａ，７８Ａ，８０Ｂ  出側開口
７６Ｂ，７８Ｂ，８０Ａ  入側開口
８４  連通開口
１００  クリック機構
【図１】
0005637925.tif 000002
【図２】
0005637925.tif 000003
【図３】
0005637925.tif 000004
【図４】
0005637925.tif 000005
【図５】
0005637925.tif 000006
【図６】
0005637925.tif 000007
【図７】
0005637925.tif 000008
【図８】
0005637925.tif 000009
【図９】
0005637925.tif 000010
【図１０】
0005637925.tif 000011
【図１１】
0005637925.tif 000012
【図１２】
0005637925.tif 000013
【図１３】
0005637925.tif 000014
【図１４】
0005637925.tif 000015
【図１５】
0005637925.tif 000016
【図１６】
0005637925.tif 000017
【図１７】
0005637925.tif 000018